(57)【要約】【課題】複数の操作禁止札のうち一部の操作禁止札を取り外す場合に、電源スイッチの誤操作を防止することができる電源ロックピンを提供する。【解決手段】  電源ロックピン３は、電源スイッチ２の回動操作レバー２ａに進退移動可能に設けられた係合部材１１を、電源オフ状態で進出移動させて回動操作レバー２ａの回動を規制する電源ロック装置に用いられる。この電源ロックピン３は、進出させた係合部材１１と回動操作レバー２ａとの間で構成される係合孔１２に差し込まれた状態で、係合部材１１と回動操作レバー２ａとの間で挟持されることにより、係合部材２ｂが後退するのを規制するロック部３１を備える。ロック３１の下部には、複数の操作禁止札４に個別に取り付けられた環状の紐部材５を取り外し可能に引っ掛けて操作禁止札４を複数個吊り下げる引掛部３４が設けられている。【選択図】図３
2012160362.tif 000002
【特許請求の範囲】
【請求項１】
電源スイッチの回動操作レバーに進退移動可能に設けられた係合部材と、電源オフ状態で前記係合部材を前記回動操作レバーから進出させることにより当該回動操作レバーの回動を規制し、前記係合部材を後退させることにより前記回動操作レバーの回動を許容する回動ロック機構とを備える電源ロック装置に用いられ、前記進出させた係合部材と前記回動操作レバーとの間で構成される係合孔に差し込むことにより、前記係合部材が後退するのを規制する電源ロックピンであって、
前記電源ロックピンは、前記係合孔に差し込まれた状態で前記係合部材と前記回動操作レバーとの間で挟持されるロック部と、複数の操作禁止札に個別に取り付けられた環状の紐部材を取り外し可能に引っ掛けて当該操作禁止札を複数個吊り下げる引掛部とを備えることを特徴とする電源ロックピン。
【請求項２】
前記引掛部は、開脚及び閉脚可能な一対の脚部の相互間に設けられている請求項１に記載の電源ロックピン。
【発明の詳細な説明】
【技術分野】
【０００１】
本発明は、複数の操作禁止札が取り付けられる電源ロックピンに関する。
【背景技術】
【０００２】
一般に、設備機器の点検作業を行う場合は、安全性を考慮して作業前にコントロールセンターにおいて設備機器の電源スイッチを必ずオフにしている。その際、点検作業中に第三者等が誤って電源スイッチをオン操作することがないように、電源スイッチを電源ロック部材によりロックするとともに、この電源ロック部材のロックを解除して電源スイッチが操作されないように、電源ロック部材の近くに操作禁止札を取り付けることが提案されている（例えば、特許文献１参照）。
【０００３】
特許文献１に記載の操作禁止札は、ブレーカーの電源スイッチに、電源スイッチを電源オフ状態でロックする角筒状の電源ロック部材（札取付具）を介して取り付けられている。具体的には、操作禁止札に取り付けられた環状の紐部材を電源ロック部材に形成された上下一対の孔に挿通した状態で、当該電源ロック部材を電源スイッチに嵌め込むことにより、前記紐部材が電源スイッチと電源ロック部材との間に挟み込まれ、操作禁止札が電源ロック部材に取り付けられるようになっている。
【０００４】
上記のような電源ロック部材には、例えば、電源スイッチに複数の設備機器が接続されている場合には、各設備機器の点検作業毎に操作禁止札が取り付けられることがある。この場合、複数の設備機器の点検作業が同じ時期に重複したときには、電源ロック部材に複数の操作禁止札が取り付けられる。そして、各設備機器の点検作業が終了したときは、その点検作業時に取り付けた操作禁止札のみを電源スイッチから取り外すようになっている。
【先行技術文献】
【特許文献】
【０００５】
【特許文献１】特開２００９−１１６０２０号公報（図４、図５）
【発明の概要】
【発明が解決しようとする課題】
【０００６】
従来の上記電源ロック部材は、操作禁止札とともに電源スイッチに取り付けられているため、複数の操作禁止札のうち点検作業が終了した設備機器についての操作禁止札を電源ロック部材から取り外す場合であっても、全ての操作禁止札とともに電源スイッチから電源ロック部材を取り外す必要がある。したがって、一部の操作禁止札を電源ロック部材から取り外すときに、他の操作禁止札によって電源スイッチの操作が禁止されているにも関わらず、電源スイッチの操作が可能な状態となるため、この状態で、点検作業が終了した設備機器の動作確認等のために、電源スイッチが誤ってオン操作される危険がある。
本発明は、前記問題点に鑑みてなされたものであり、複数の操作禁止札のうち一部の操作禁止札を取り外す場合に、電源スイッチの誤操作を防止することができる電源ロックピンを提供することを目的とする。
【課題を解決するための手段】
【０００７】
前記目的を達成するための本発明の電源ロックピンは、電源スイッチの回動操作レバーに進退移動可能に設けられた係合部材と、電源オフ状態で前記係合部材を前記回動操作レバーから進出させることにより当該回動操作レバーの回動を規制し、前記係合部材を後退させることにより前記回動操作レバーの回動を許容する回動ロック機構とを備える電源ロック装置に用いられ、前記進出させた係合部材と前記回動操作レバーとの間で構成される係合孔に差し込むことにより、前記係合部材が後退するのを規制する電源ロックピンであって、前記電源ロックピンは、前記係合孔に差し込まれた状態で前記係合部材と前記回動操作レバーとの間で挟持されるロック部と、複数の操作禁止札に個別に取り付けられた環状の紐部材を取り外し可能に引っ掛けて当該操作禁止札を複数個吊り下げる引掛部とを備えることを特徴としている。
【０００８】
本発明の電源ロックピンによれば、ロック部により係合部材が後退するのを規制して電源スイッチの回動操作レバーを電源オフ状態から回動するのを規制しながら、複数個の操作禁止札を紐部材を介して引掛部に取り外し可能に複数個吊り下げることができる。これにより、複数の操作禁止札のうち一部の操作禁止札を引掛部から取り外す場合に、回動操作レバーから電源ロックピンを取り外す必要がない。その結果、一部の操作禁止札を引掛部から取り外す場合に、電源スイッチが誤操作されるのを防止することができる。
【０００９】
また、前記引掛部は、開脚及び閉脚可能な一対の脚部の相互間に設けられていることが好ましい。この場合は、複数の操作禁止札を引掛部に引っ掛けた状態で、一対の脚部を閉脚することにより、操作禁止札が引掛部から脱落するのを防止することができる。
【発明の効果】
【００１０】
本発明の電源ロックピンによれば、複数の操作禁止札のうち一部の操作禁止札を取り外す場合に、電源スイッチが誤操作されるのを防止することができる。
【図面の簡単な説明】
【００１１】
【図１】本発明の第１の実施形態に係る電源ロックピンが取り付けられたブレーカーを示す斜視図である。
【図２】（ａ）は電源スイッチの電源オフ状態における平面図であり、（ｂ）は電源スイッチに電源ロックピンが取り付けられた状態を示す平面図である。
【図３】前記電源ロックピンを示す斜視図である。
【図４】本発明の第２の実施形態に係る電源ロックピンの下部を示す側面図である。
【発明を実施するための形態】
【００１２】
以下、図面を参照しつつ、本発明の実施形態を説明する。
図１は、本発明の第１の実施形態に係る電源ロックピンが取り付けられたブレーカーを示す斜視図である。ブレーカー１は、例えば発電所のコントロールセンターに設置されたＮＦＢ（ノーヒューズブレーカー）であり、その電源スイッチ２には、電源ロックピン３が着脱自在に取り付けられるようになっている。そして、電源スイッチ２に取り付けられた電源ロックピン３には、複数（本実施形態では２個）の操作禁止札４が着脱自在に取り付けられるようになっている。各操作禁止札４は、電源スイッチ２の操作を禁止する旨の表示（本実施形態では「操作禁止」）が記されたものであり、その上部には電源ロックピン３に引っ掛けるための環状の紐部材５が取り付けられている。
【００１３】
電源スイッチ２は、回動操作レバー２ａを回動させることにより、発電所内の複数の設備機器の電源をオン・オフ操作するためのものである。前記回動操作レバー２ａは、ブレーカー１の筐体１ａの側面に回転可能に取り付けられた円板状の基台１ｂに突設されている。電源スイッチ２は、図１の二点鎖線で示すように、回動操作レバー２ａを起立位置に回動させると、前記設備機器の電源をオンにした状態（以下、電源オン状態という）になり、この状態から当該回動操作レバー２ａを、図１の実線で示すように図１の反時計回り方向に９０度回転させると、設備機器の電源をオフにした状態（以下、電源オフ状態という）となる。
【００１４】
図２の（ａ）は、電源スイッチ２の電源オフ状態における平面図であり、（ｂ）は電源スイッチ２に電源ロックピン３が取り付けられた状態を示す平面図である。回動操作レバー２ａの図２における左側には、係合部材１１が進退移動可能に設けられている。
【００１５】
係合部材１１は、回動操作レバー２ａに対して図２（ａ）に示す退避位置と、図２（ｂ）の二点鎖線で示す進出位置との間で移動可能に設けられている。係合部材１１が進出位置にあるとき、当該係合部材１１と回動操作レバー２ａとの間で係合孔１２が構成され、この係合孔１２に電源ロックピン３を抜き差しすることができるようになっている。
【００１６】
係合部材１１の図２（ａ）における右側の端部には、回動操作レバー２ａから常時突出した突出部１３が一体形成されており、この突出部１３を図２（ａ）の矢印ａ方向に移動させることにより、係合部材１１が進出位置に移動するようになっている。突起部１３は、付勢手段であるバネ（図示省略）によって常に前記矢印ａ方向と逆方向に付勢されている。これにより、係合部材１１は、通常時はバネ力によって退避位置に保持されており、突起部１３をバネ力を抗して前記矢印ａ方向に移動させることにより、進出位置に移動するようになっている。
【００１７】
筐体１ａには、回動操作レバー２ａの回動を規制する回動ロック機構（図示省略）が内蔵されている。この回動ロック機構は、図示しないリンク機構を介して係合部材１１に連結されており、係合部材１１を退避位置よりも前記矢印ａ方向に進出させることにより、回動操作レバー２ａの回動を規制し、係合部材１１を退避位置に後退させることにより回動操作レバー２ａの回動を許容する。本実施形態では、係合部材１１と突出部１３と前記回動ロック機構とによって電源ロック装置が構成されている。
【００１８】
図３は、電源ロックピン３を示す斜視図である。電源ロックピン３は、回動操作レバー２ａから進出した係合部材１１が退避位置へ後退するのを規制するためのものである。電源ロックピン３は、前記係合孔１２に差し込まれた状態で係合部材１１と回動操作レバー２ａとの間で挟持されるロック部３１と、このロック部３１の下端（先端）において開脚及び閉脚可能に形成された一対の脚部３２，３３と、これらの脚部３２，３３の相互間に設けられた引掛部３４とを備えている。
【００１９】
ロック部３１は、略直方体状に形成されており、その側面には凹状の係合溝３１ａが形成されている。この係合溝３１ａには、電源ロックピン３を係合孔１２に差し込んだときに、係合部材１１が係合するようになっている。これにより、係合部材１１は、図２（ｂ）の実線で示す位置から後退しないように規制されるため、回動操作レバー２ａは、回動ロック機構により回動が規制された状態に保持される。
【００２０】
図３において、ロック部３１には２つの孔部３１ｂが形成されており、いずれかの孔部３１ｂには紐部材（図示省略）の一端が挿通されてロック部３１に結び付けられている。この紐部材の他端は、電源ロックピン３の紛失を防止するために、係合部材１１又は回動操作レバー２ａに結びつけられている。
【００２１】
一方の脚部３２は、ロック部３１の下端後側から下方に延びるように一体形成されており、他方の脚部３３は、ロック部３１の下端前側から下方に延びるように一体形成されている。脚部３３の上端部は、当該脚部３３がロック部３１に対して回動できるように、脚部３２の上端部の厚みよりも薄肉に形成されている。両脚部３２，３３間の上方には空間Ｓが形成されており、脚部３３を回動させて脚部３２に対して開脚及び閉脚することによって、前記空間Ｓを開閉することができる。脚部３３の下端部には、脚部３２側に延びる係止部３３ａが形成されており、この係止部３３ａは、脚部３３を閉脚したときに脚部３２の下端に係止されるようになっている。
【００２２】
引掛部３４は、各操作禁止札４に個別に取り付けられた環状の紐部材５を取り外し可能なように引っ掛けて操作禁止札４を複数個吊り下げるものである。本実施形態の引掛部３４は、脚部３３の上部に上方に突出するように一体形成されている。この引掛部３４は、ロック部３１の係合溝３１ａよりも下方に位置しており、係合溝３１ａに係合部材１１が係合した状態で、脚部３３を回動させることができる。これにより、ロック部３１により電源スイッチ２を電源オフ状態に保持しながら、引掛部３４に複数の操作禁止札４を着脱自在に取り付けることができる。
【００２３】
次に、電源ロックピン３及び操作禁止札４の取り付け方法について、図面を参照しながら説明する。まず、図１において、電源スイッチ２の回動操作レバー２ａを電源オン状態から反時計回り方向に９０度回動させて電源オフ状態とする。次いで、図２（ａ）に示す突出部１３をバネ力を抗して矢印ａ方向にスライドさせ、図２（ｂ）に示すように係合部材１１を進出位置まで移動させる。これにより、進出させた係合部材１１と回動操作レバー２ａとの間に係合孔１２が形成される。そして、突起部１３を前記矢印ａ方向に押し付けたまま、この係合孔１２に電源ロックピン３を上方から差し込む。
【００２４】
電源ロックピン３の係合溝３１ａが係合部材１１に対向する位置まで差し込まれると、突起部１３の上記押し付けを解除し、係合部材１１をバネ力によって後退させる。その際、係合部材１１は、図２（ｂ）の実線で示すように、電源ロックピン３の係合溝３１ａに係合して退避位置への後退が規制され、回動操作レバー２ａは回動ロック機構により回動が規制された状態で保持される。これにより、電源スイッチ２は電源オフ状態に保持される。
【００２５】
次いで、脚部３３を図３の二点鎖線で示すように脚部３２に対して開脚させ、空間Ｓを開放する。この状態で、操作禁止札４に取り付けられた紐部材５の一部を空間Ｓ内に入れて引掛部３４に引っ掛ける。その後、脚部３３を図３の実線で示すように脚部３２に対して閉脚させて空間Ｓを閉鎖する。このように、脚部３３を脚部３２に対して開脚及び閉脚することにより、電源スイッチ２を電源オフ状態に保持しながら、複数個の操作禁止札４を電源ロックピン３に取り付けることができる。
【００２６】
また、電源ロックピン３に複数個の操作禁止札４が取り付けられている状態から一部の操作禁止札４のみを取り外す場合には、脚部３３を開脚させて空間Ｓを開放した状態で、一部の操作禁止札４に取り付けられた紐部材５を引掛部３４から取り外す。そして、他の操作禁止札４に取り付けられた紐部材５を引掛部３４に残した状態で、脚部３３を閉脚させて空間Ｓを閉鎖する。これにより、電源スイッチ２を電源オフ状態に保持しながら、電源ロックピン３から一部の操作禁止札４を取り外すことができる。
【００２７】
以上、本発明の実施形態に係る電源ロックピン３によれば、ロック部３１により係合部材１１が退避位置へ後退するのを規制して電源スイッチ２の回動操作レバー２ａを電源オフ状態から回動するのを規制しながら、操作禁止札４を紐部材５を介して引掛部３４に取り外し可能に複数個吊り下げることができる。これにより、複数の操作禁止札４のうち一部の操作禁止札４を引掛部３４から取り外す場合に、電源スイッチ２からロック部３１を取り外す必要がない。その結果、一部の操作禁止札４を引掛部３４から取り外す場合に、電源スイッチ２が誤操作されるのを防止することができる。
【００２８】
また、引掛部３４は、開脚及び閉脚可能な一対の脚部３２，３３の相互間に設けられているため、複数の操作禁止札４を引掛部３４に引っ掛けた状態で、一対の脚部３２，３３を閉脚することにより、操作禁止札４が引掛部３４から脱落するのを防止することができる。
【００２９】
図４は、本発明の第２の実施形態に係る電源ロックピンの下部を示す側面図である。本実施形態の電源ロックピン３は、ロック部３１に固定された脚部３２の下端に、側面視Ｌ字状に形成された引掛部３４が一体形成されている。この引掛部３４と脚部３２とによって空間Ｓが形成されており、引掛部３４の先端３４ａとロック部３１の下端に形成された傾斜面３１ｃとの間に形成された隙間から、紐部材５を空間Ｓ内に出し入れすることができるようになっている。
【００３０】
以上の構成の電源ロックピン３についても、複数の操作禁止札４のうち一部の操作禁止札４を引掛部３４から取り外す場合に、電源スイッチ２から電源ロックピン３を取り外す必要がないため、一部の操作禁止札４を引掛部３４から取り外す場合に、電源スイッチ２が誤操作されるのを防止することができる。
【００３１】
なお、本発明は上記実施形態に限定されるものではない。例えば、第１の実施形態において、電源ロックピン３の引掛部３４は、脚部３３に設けられているが、脚部３２に設けられていてもよい。また、上記各実施形態において、電源ロックピン３は、操作禁止札４を２個取り付けるようになっているが、３個以上取り付けるようにしてもよい。
【００３２】
さらに、操作禁止札４には、「操作禁止」の表示が記されているが、操作を禁止する旨の表示であれば、他の表示が記されていてもよい。
また、電源ロックピン３は、発電所に設置された設備機器の電源スイッチ２に取り付ける場合について例示したが、プラント等の他の設備機器の電源スイッチに取り付ける場合にも適用することができる。
【符号の説明】
【００３３】
２    電源スイッチ
２ａ  回動操作レバー
３    電源ロックピン
４    操作禁止札
５    紐部材
１１    係合部材
１２    係合孔
３１    ロック部
３２    脚部
３３    脚部
３４    引掛部
【図１】
2012160362.tif 000003
【図２】
2012160362.tif 000004
【図３】
2012160362.tif 000005
【図４】
2012160362.tif 000006